(57)【要約】【課題】この発明は、２値化データを多値化した後に変倍処理を行なった場合に、画像ムラの発生を防止できる電子写真式画像形成装置を提供することを目的とする。【解決手段】レーザ変調方式としてパルス幅変調方式が用いられている電子写真式画像形成装置において、２値化画像データを単純に多値化して変倍処理を行なう第１手段、変倍処理後のデータにおいて、中間調データの画素が前後に並んでいる場合に、両画素に対して発生されるレーザ駆動パルスが連続するように、各画素に対するレーザ駆動パルスの発生位置を決定する第２手段、および変倍処理後のデータおよび各画素毎に決定されたレーザ駆動パルスの発生位置とに基づいて、変倍処理後のデータをパルス幅変調して、レーザ駆動パルスを発生させる第３手段を備えている。【選択図】　図４
2004114570.tif 000002
【特許請求の範囲】
【請求項１】
レーザ変調方式としてパルス幅変調方式が用いられている電子写真式画像形成装置において、
２値化画像データを単純に多値化して変倍処理を行なう第１手段、
変倍処理後のデータにおいて、中間調データの画素が前後に並んでいる場合に、両画素に対して発生されるレーザ駆動パルスが連続するように、各画素に対するレーザ駆動パルスの発生位置を決定する第２手段、および
変倍処理後のデータおよび各画素毎に決定されたレーザ駆動パルスの発生位置とに基づいて、変倍処理後のデータをパルス幅変調して、レーザ駆動パルスを発生させる第３手段、
を備えていることを特徴とする電子写真式画像形成装置。
【請求項２】
第２手段は、変倍処理後のデータを用いて、各画素毎に、その画素の画素値と、その画素の前後の画素の画素値とに基づいて、その画素に対するレーザ駆動パルスの発生位置を決定するものであることを特徴とする請求項１に記載の電子写真式画像形成装置。
【請求項３】
レーザ変調方式としてパルス幅変調方式が用いられた電子写真式画像形成装置において、
２値化画像データを単純に多値化して変倍処理を行なう第１手段、
変倍処理によって発生した中間調データを、周囲の画素の画素値に基づいて調整する第２手段、
第２手段による画素値調整後のデータにおいて、中間調データの画素が前後に並んでいる場合に、両画素に対して発生されるレーザ駆動パルスが連続するように、各画素に対するレーザ駆動パルスの発生位置を決定する第３手段、および
第２手段による画素値調整後のデータおよび各画素毎に決定されたレーザ駆動パルスの発生位置とに基づいて、変倍処理後のデータをパルス幅変調して、レーザ光駆動パルスを発生させる第４手段を備えていることを特徴とする電子写真式画像形成装置。
【請求項４】
第２手段は、３画素連続して中間調の画素が並んでおりかつその両側の画素が白画素であり、しかもこれらの中間調の３画素のうちの中央の画素の濃度が、両側の中間調の画素の濃度より大きい場合に、これらの中間調の３画素のうちの中央の画素に濃度を集中させるように、これらの中間調の３画素の画素値を調整するものである請求項３に記載の電子写真式画像形成装置。
【請求項５】
第２手段は、黒画素の後側に複数の中間調の画素が連続して並んだ後に白画素が配置されており、かつこれらの中間調の複数の画素の濃度が、上記黒画素に近いほど大きい場合に、これらの中間調の複数画素のうち、黒画素に近い側の画素に濃度を集中させるように、これらの中間調の複数画素の画素値を調整するものである請求項３に記載の電子写真式画像形成装置。
【請求項６】
第２手段は、３画素連続して中間調の画素が並んでおりかつその両側の画素が白画素であり、しかもこれらの中間調の３画素のうちの中央の画素の濃度が、両側の中間調の画素の濃度より大きい場合に、これらの中間調の３画素のうちの中央の画素に濃度を集中させるように、これらの中間調の３画素の画素値を調整するとともに、黒画素の後側に複数の中間調の画素が連続して並んだ後に白画素が配置されており、かつこれらの中間調の複数の画素の濃度が、上記黒画素に近いほど大きい場合に、これらの中間調の複数画素のうち、黒画素に近い側の画素に濃度を集中させるように、これらの中間調の複数画素の画素値を調整するものである請求項３に記載の電子写真式画像形成装置。
【請求項７】
第３手段は、第２手段による画素値調整後のデータを用いて、各画素毎に、その画素の画素値と、その画素の前後の画素の画素値とに基づいて、その画素に対するレーザ駆動パルスの発生位置を決定するものであることを特徴とする請求項３、４、５および６のいずれかに記載の電子写真式画像形成装置。
【発明の詳細な説明】
【０００１】
【産業上の利用分野】
この発明は、レーザ変調方式としてパルス幅変調方式が用いられている電子写真式画像形成装置に関する。
【０００２】
【従来の技術】
図面等の複写を行なった場合には、出力画像の等倍度が求められる。しかしながら、印刷する用紙が複写処理中に変形し、出力画像の大きさが微妙に変わることがある。このような場合に、等倍度を保つための方法として、印刷の直前に画像処理（変倍処理）を行なって倍率を補正することが考えられる。ここでいう変倍処理は等倍度を維持するために行なわれる変倍処理であるため、その倍率はたとえば１０１％、１０２％というように、１００％に近い倍率となる。
【０００３】
ところで、２値化データまたは疑似中間調処理された２値化データに対して、変倍処理を行なった場合には、変倍処理後の各画素データは中間調の値をとることができないため、画像が正しく再現されないという問題がある。
【０００４】
そこで、２値化データまたは疑似中間調処理された２値化データを、例えば８ビットデータ等の多値化データに変換した後に、変倍処理を行なうことが考えられる。変倍処理は、例えば、次式（１）に基づいて行なわれる。
【０００５】
Ｑｐ　＝Ｄｎ　＋（ｍ×（Ｄｎ−１　−Ｄｎ　）　　　…（１）
【０００６】
上記式（１）における各記号は、次のように定義される。
ｐ：変倍後の画素位置
ｍ：ｐ×（１００／倍率）の小数部
ｎ：ｐ×（１００／倍率）の整数部
Ｑｐ　：変倍後の画素位置ｐのデータ
Ｄｎ　：変倍前の位置ｎの画素のデータ
Ｄｎ−１　：変倍前の位置（ｎ−１）の画素のデータ
【０００７】
１水平ライン（複写機では主走査方向の１ライン）の画像データを倍率１０２％で変倍処理する場合について説明する。変倍後の画素位置が３（ｐ＝３）の画素のデータＱ３　は、次のようにして求められる。つまり、ｐ×（１００／倍率）＝３×（１００／１０２）＝２．９となる。したがって、ｍ＝０．９，ｎ＝２となる。したがって、Ｑ３　＝Ｄ２　＋（０．９×（Ｄ１　−Ｄ２　）となる。
【０００８】
上記のように、２値化データまたは疑似中間調処理された２値化データを多値化した後に変倍処理を行なった場合、次のような問題がある。
【０００９】
例えば、１画素の黒ドットが規則的に並んだ図１（ａ）に示すような画像に対して、倍率１０１％で主走査方向の変倍処理を行なった場合、変倍処理後のデータは、図１（ｂ）に示すように、主走査の位置によって周期的な変化を起こす。つまり、変倍処理後のデータにおける変倍処理前の１画素に対応する部分に着目すると、ある部分では変倍処理前のように１画素の点から構成され、ある部分では中間調の複数画素から構成される。
【００１０】
このような変倍処理後の画像に対して、ＬＳＵ（レーザスキャンユニット）でパルス幅変調（ＰＷＭ）を行なった場合、１画素の点から構成された部分と、中間調の複数画素から構成された部分とでは、図２（ａ）、（ｂ）に示すように、レーザ駆動パルスの形状が異なるため、両者に画像間に差が生じやすくなり、画像ムラが発生するという問題がある。
【００１１】
なお、レーザ駆動パルスの幅は、データの大きさ（濃度値）に比例する。また、レーザ駆動パルスの発生位置は、図２の例では、１画素に相当する期間の中心に、レーザ駆動パルスの幅の中心が一致するように決められている。
【００１２】
【発明が解決しようとする課題】
この発明は、２値化データを多値化した後に変倍処理を行なった場合に、画像ムラの発生を防止できる電子写真式画像形成装置を提供することを目的とする。
【００１３】
【課題を解決するための手段】
この発明による第１の電子写真式画像形成装置は、レーザ変調方式としてパルス幅変調方式が用いられている電子写真式画像形成装置において、２値化画像データを単純に多値化して変倍処理を行なう第１手段、変倍処理後のデータにおいて、中間調データの画素が前後に並んでいる場合に、両画素に対して発生されるレーザ駆動パルスが連続するように、各画素に対するレーザ駆動パルスの発生位置を決定する第２手段、および変倍処理後のデータおよび各画素毎に決定されたレーザ駆動パルスの発生位置とに基づいて、変倍処理後のデータをパルス幅変調して、レーザ駆動パルスを発生させる第３手段を備えていることを特徴とする。
【００１４】
第２手段としては、例えば、変倍処理後のデータを用いて、各画素毎に、その画素の画素値と、その画素の前後の画素の画素値とに基づいて、その画素に対するレーザ駆動パルスの発生位置を決定するものが用いられる。
【００１５】
この発明による第２の電子写真式画像形成装置は、レーザ変調方式としてパルス幅変調方式が用いられた電子写真式画像形成装置において、２値化画像データを単純に多値化して変倍処理を行なう第１手段、変倍処理によって発生した中間調データを、周囲の画素の画素値に基づいて調整する第２手段、第２手段による画素値調整後のデータにおいて、中間調データの画素が前後に並んでいる場合に、両画素に対して発生されるレーザ駆動パルスが連続するように、各画素に対するレーザ駆動パルスの発生位置を決定する第３手段、および第２手段による画素値調整後のデータおよび各画素毎に決定されたレーザ駆動パルスの発生位置とに基づいて、変倍処理後のデータをパルス幅変調して、レーザ光駆動パルスを発生させる第４手段を備えていることを特徴とする。
【００１６】
第２手段としては、例えば、３画素連続して中間調の画素が並んでおりかつその両側の画素が白画素であり、しかもこれらの中間調の３画素のうちの中央の画素の濃度が、両側の中間調の画素の濃度より大きい場合に、これらの中間調の３画素のうちの中央の画素に濃度を集中させるように、これらの中間調の３画素の画素値を調整するものが用いられる。
【００１７】
第２手段としては、例えば、黒画素の後側に複数の中間調の画素が連続して並んだ後に白画素が配置されており、かつこれらの中間調の複数の画素の濃度が、上記黒画素に近いほど大きい場合に、これらの中間調の複数画素のうち、黒画素に近い側の画素に濃度を集中させるように、これらの中間調の複数画素の画素値を調整するものが用いられる。
【００１８】
第２手段としては、例えば、３画素連続して中間調の画素が並んでおりかつその両側の画素が白画素であり、しかもこれらの中間調の３画素のうちの中央の画素の濃度が、両側の中間調の画素の濃度より大きい場合に、これらの中間調の３画素のうちの中央の画素に濃度を集中させるように、これらの中間調の３画素の画素値を調整するとともに、黒画素の後側に複数の中間調の画素が連続して並んだ後に白画素が配置されており、かつこれらの中間調の複数の画素の濃度が、上記黒画素に近いほど大きい場合に、これらの中間調の複数画素のうち、黒画素に近い側の画素に濃度を集中させるように、これらの中間調の複数画素の画素値を調整するものが用いられる。
【００１９】
第３手段としては、例えば、第２手段による画素値調整後のデータを用いて、各画素毎に、その画素の画素値と、その画素の前後の画素の画素値とに基づいて、その画素に対するレーザ駆動パルスの発生位置を決定するものが用いられる。
【００２０】
【発明の実施の形態】
以下、図面を参照して、この発明の実施の形態について説明する。
【００２１】
〔１〕デジタル複写機の構成についての説明
【００２２】
図３は、デジタル複写機の構成を示している。
【００２３】
デジタル複写機は、スキャナ部１０と、制御部２０と、ハードディスク（ＨＤＤ）３０と、画像形成部４０と、ユーザ操作部５０とを備えている。スキャナ部１０は、原稿送り装置（ＤＦ）１１、スキャナ１２、画像読み取りＣＣＤ１３等を備えている。制御部２０は、ＣＰＵ、ＲＯＭ、ＲＡＭ等を備えている。
【００２４】
画像形成部４０は、レーザスキャンユニット（ＬＳＵ）４１、感光体ドラム等を含む静電複写機構等を備えている。ユーザ操作部５０は、テンキーおよび各種キーを含むキー入力部５１、液晶表示部５２、ＬＥＤ表示部５３等を備えている。
【００２５】
原稿送り装置（ＤＦ）１１によって図示しないコンタクトガラス上に送られた原稿はスキャナ１２によって光学的に走査され、画像読み取りＣＣＤ１３によって原稿画像が読み取られる。画像読み取りＣＣＤ１３によって読み取られた原稿画像データ（多値データ）は、制御部２０によって疑似中間処理された２値化　された後、制御部２０内のメモリに格納される。メモリに格納された２値化データは、制御部２０によって一旦ＨＤＤ３０に格納される場合もある。メモリまたはＨＤＤ３０に格納された２値化データは制御部２０に読み出され、パルス幅変調（ＰＷＭ）が行われた後、ＬＳＵ４１に送られる。ＬＳＵ４１は、送られてきたＰＷＭ出力信号に基づいて、レーザ光を出力して感光体上に静電潜像パターンを形成する。
【００２６】
なお、画像の等倍度を維持するために変倍処理を行なう場合には、メモリ（ＨＤＤ３０に２値化データが格納された場合にはＨＤＤ３０）に格納された２値化データが読み出されて、変倍処理およびパルス幅変調（ＰＷＭ）が行なわれた後に、ＰＷＭ出力信号がＬＳＵ４１に送られる。
【００２７】
〔２〕画像の等倍度を維持するための変倍処理を行なう場合の処理についての説明
【００２８】
図４は、メモリ（またはＨＤＤ３０）に格納された２値化データに対して、画像の等倍度を維持するための変倍処理を行なう場合の処理手順を示している。
【００２９】
まず、メモリ（またはＨＤＤ３０）から読み出された２値化データを単純に多値化データに変換する（ステップ１）。例えば、２値化データを８ビットの多値化データに変換する場合には、２値化データの”０”を多値化データの”０”に変換し、２値化データの”１”を多値化データの”２５５”に変換する。
【００３０】
次に、上記式（１）に基づいて、主走査方向の各ラインに対して変倍処理を行なう（ステップ２）。次に、各画素のデータ毎にレーザ駆動パルスの発生位置モードを決定するためのパルス発生位置モード決定処理を行なう（ステップ３）。
【００３１】
この後、変倍処理後のデータおよび各画素のデータ毎のパルス発生位置モードに基づいて、パルス幅変調（ＰＷＭ）が行われる（ステップ４）。そして、得られたＰＷＭ出力信号がＬＳＵ４１に送られる。ＬＳＵ４１は、ＰＷＭ出力信号に応じたレーザ光を出力する。
【００３２】
パルス幅変調について説明する。レーザ駆動パルスのパルス幅は、画素のデータが大きいほど（濃度が大きいほど）、大きくなる。各画素データに対するレーザ駆動パルスの発生位置モードとしては、次の３種類がある。
【００３３】
（１）中央寄せモード：図５（ａ）に示すように、パルス幅の中心が１画素に相当する期間（１画素期間）の中心と一致するようにレーザ駆動パルスを発生させるモード
【００３４】
（２）前寄せモード：図５（ｂ）に示すように、パルスの開始位置（前エッジ）が１画素期間の始端と一致するようにレーザ駆動パルスを発生させるモード
【００３５】
（３）後寄せモード：図５（ｃ）に示すように、パルスの終了位置（後エッジ）が１画素期間の終端と一致するようにレーザ駆動パルスを発生させるモード
【００３６】
図６は、主走査方向の各ライン毎に行なわれるパルス発生位置モード決定処理手順を示している。
【００３７】
パルス発生位置モード決定処理においては、注目画素のデータと注目画素の前後にある２つの画素のデータとに基づいて、注目画素に対するパルス発生位置モードを決定する。
【００３８】
つまり、まず、注目画素を主走査方向の最初の画素に設定する（ステップ１１）。そして、注目画素が白（”０”）および黒（”２５５”）のいずれかであるか否かを判定する（ステップ１２）。注目画素が白および黒のいずれかである場合には、当該注目画素に対するパルス発生位置モードを中央寄せモードと決定する（ステップ１３）。
【００３９】
注目画素が白および黒のいずれでもない場合には、当該注目画素の前画素のデータと当該注目画素の後画素のデータとを比較する（ステップ１４）。
【００４０】
当該注目画素の前画素のデータが当該注目画素の後画素のデータより大きい場合には、当該注目画素に対するパルス発生位置モードを前寄せモードと決定する（ステップ１５）。
【００４１】
当該注目画素の前画素のデータが当該注目画素の後画素のデータより小さい場合には、当該注目画素に対するパルス発生位置モードを後寄せモードと決定する（ステップ１６）。
【００４２】
当該注目画素の前画素のデータと当該注目画素の後画素のデータとが等しい場合には、当該注目画素に対するパルス発生位置モードを中央寄せモードと決定する（ステップ１３）。
【００４３】
つまり、図７に示すように、４つの連続する画素Ａ〜Ｄのうち、１番目と４番目の画素Ａ，Ｄのデータが白であり、２番目と３番目の画素Ｂ，Ｃのデータが中間調である場合には、２番目の画素Ｂに対するパルス発生位置モードは後寄せモードとなり、３番目の画素Ｃに対するパルス発生位置モードは前寄せモードとなる。
【００４４】
この結果、これらの画素Ｂ、Ｃに対するパルスは、図７に示すように、連続するようになり、１個の画素に対して発生されたパルスと同様になる。
【００４５】
〔３〕変形例の説明
【００４６】
なお、図４のステップ２で変倍処理を行なった後に、変倍処理によって発生した中間調データを周囲の画素の画素値に基づいて調整するための中間調データ調整処理を行ない、中間調データ調整処理の後に図４のステップ３のパルス位置調整処理を行なうようにしてもよい。この場合には、図４のステップ４では、中間調データ調整処理後のデータおよび各画素のデータ毎のパルス発生位置モードに基づいて、各画素毎にパルス幅変調を行なう。
【００４７】
中間調データ調整処理について説明する。中間調データ調整処理においては、まず、図８（ａ）に示すように、変倍処理後のデータから、各主走査方向のライン毎に、５つの連続する画素列であって、両端の画素のデータが０（白）の白画素であり、中間の３画素が中間調の画素（データが１以上でかつ２５４以下）であり、これらの中間調の３画素のうちの中央の画素の濃度が、両側の中間調の画素の濃度より大きい画素列を検索する。
【００４８】
そして、このような画素列が見つかった場合には、以下のようにして、これらの中間調の３画素のデータを調整することにより、これらの３画素に対して発生されるレーザ駆動パルスが連続するようにする。
【００４９】
図８（ａ）において、１番目〜５番目までの画素Ａ〜Ｅのデータをａ〜ｅとすると、ａ＝ｅ＝０，ｂ，ｃ，ｄは中間調の値，ｂ＜ｃ，ｃ＞ｄである。２番目〜４番目の中間調の画素Ｂ，Ｃ，Ｄのデータｂ，ｃ，ｄを次式（２）のように変更する。
【００５０】
2004114570.tif 000003
【００５１】
ｂ＋ｃ＋ｄ≧２５５の場合には、３画素Ｂ，Ｃ，Ｄのうち、中央の画素Ｃのデータｃを２５５とし、これら３画素Ｂ，Ｃ，Ｄのデータｂ，ｃ，ｄの合計から２５５を差し引いた値を、両側の画素Ｂ，Ｃのデータｂ，ｃに比例分配している。このようにすると、画素Ｂに対するパルス発生位置モードは右寄せモードとなり、画素Ｃに対するパルス発生位置モードは中央寄せモードとなり、画素Ｄに対するパルス発生位置モードは左寄せモードとなるので、これらの３画素Ｂ，Ｃ，Ｄに対して発生されるレーザ駆動パルスが連続するようになる。
【００５２】
ｂ＋ｃ＋ｄ＜２５５の場合には、３画素Ｂ，Ｃ，Ｄのデータｂ，ｃ，ｄの合計を、これらの中央の画素Ｃのデータｃとし、両側の画素Ｂ，Ｄのデータｂ，ｄを０としている。このようにすると、これらの３画素Ｂ，Ｃ，Ｄのうち、中央の画素Ｃに対してのみにレーザ駆動パルスが発生するようになり、これらの３画素Ｂ，Ｃ，Ｄに対して発生されるレーザ駆動パルスが連続するようになる。
【００５３】
以上の処理が終了すると、上記処理後のデータに基づいて、次のような処理を行なう。つまり、黒画素（データが２５５の画素）とそれより右側に２画素以上の間隔をおいて存在する白画素との間に、中間調の画素（データが１以上でかつ２５４以下の画素）が連続して並んでおり、かつこれらの中間調の複数の画素の濃度が上記黒画素に近いほど大きい画素列を検索する。そして、このような画素列が見つかった場合には、以下のようにして、黒画素の右側に連続して存在する中間調の画素のデータを変更することにより、先頭の黒画素とそれに連続する複数の中間調の画素に対して発生されるレーザ駆動パルスが連続するようにする。
【００５４】
例えば、図８（ｂ）に示すように、黒画素Ａとそれより右側に２画素の間隔をおいて存在する白画素Ｄとの間に、２つの中間調の画素Ｂ，Ｃが連続しており、画素のＢのデータｂが画素Ｃのデータｃより大きい場合には、中間調の画素Ｂ，Ｃのデータｂ，ｃを次式（３）のように変更する。
【００５５】
2004114570.tif 000004
【００５６】
ｂ＋ｃ≧２５５の場合には、２画素Ｂ，Ｃのうち、黒画素Ａに近いほうの画素Ｂのデータｂを２５５とし、他方の画素Ｃのデータｃをこれら２画素Ｂ，Ｃ，のデータｂ，ｃの合計から２５５を差し引いた値とする。このようにすると、画素Ｂに対するパルス発生位置モードは中央寄せモードとなり、画素Ｃに対するパルス発生位置モードは左寄せモードとなるので、黒画素Ａとそれに連続する２つの画素Ｂ，Ｃからなる３画素に対して発生されるレーザ駆動パルスが連続するようになる。
【００５７】
ｂ＋ｃ＜２５５の場合には、Ｂ，Ｃの２画素のデータｂ，ｃの合計を、黒画素Ａに近いほうの画素Ｂのデータｂとし、他方の画素Ｃのデータｃを０としている。このようにすると、これらの２画素Ｂ，Ｃのうち、左側の画素Ｂに対してのみにレーザ駆動パルスが発生するようになり、黒画素Ａとそれに連続する２つの画素Ｂ，Ｃからなる３画素に対して発生されるレーザ駆動パルスが連続するようになる。
【００５８】
また、例えば、図８（ｃ）に示すように、黒画素Ａとそれより右側に３画素の間隔をおいて存在する白画素Ｅとの間に、３つの中間調の画素Ｂ，Ｃ，Ｄが連続しており、これらの中間調の画素Ｂ，Ｃ，Ｄのデータｂ，ｃ，ｄがｂ＞ｃ＞ｄの関係にある場合には、中間調の画素Ｂ，Ｃ，Ｄのデータｂ，ｃ，ｄを次式（４）のように変更する。
【００５９】
2004114570.tif 000005
【００６０】
ｂ＋ｃ＋ｄ≧５１０の場合には、３画素Ｂ，Ｃ，Ｄのうち、黒画素Ａに近い２つの画素Ｂ，Ｃのデータｂ，ｃを２５５とし、残りの画素Ｄのデータｄをこれら３画素Ｂ，Ｃ，Ｄのデータｂ，ｃ，ｄの合計から５１０を差し引いた値とする。このようにすると、画素Ｂ，Ｃに対するパルス発生位置モードは中央寄せモードとなり、画素Ｄに対するパルス発生位置モードは左寄せモードとなるので、黒画素Ａとそれに連続する３つの画素Ｂ，Ｃ，Ｄからなる４画素に対して発生されるレーザ駆動パルスが連続するようになる。
【００６１】
ｂ＋ｃ＋ｄ≧２５５の場合には、３画素Ｂ，Ｃ，Ｄのうち、黒画素Ａに最も近い画素Ｂのデータｂを２５５とし、中央の画素Ｃのデータｃをこれら３画素Ｂ，Ｃ，Ｄのデータｂ，ｃ，ｄの合計から２５５を差し引いた値とし、黒画素Ａに最も遠い画素Ｄのデータｄを０とする。このようにすると、画素Ｂに対するパルス発生位置モードは中央せモードとなり、画素Ｃに対するパルス発生位置モードは左寄せモードとなるので、黒画素Ａとそれに連続する３つの画素Ｂ，Ｃ，Ｄからなる４画素に対して発生されるレーザ駆動パルスが連続するようになる。
【００６２】
ｂ＋ｃ＋ｄ＜２５５の場合には、Ｂ，Ｃ，Ｄの３画素のデータｂ，ｃ，ｄの合計を、黒画素Ａに近いほうの画素Ｂのデータｂとし、残りの２画素Ｃ，Ｄデータｃ，ｄを０としている。このようにすると、これらの３画素Ｂ，Ｃ，Ｄのうち、左側の画素Ｂに対してのみにレーザ駆動パルスが発生するようになり、黒画素Ａとそれに連続する３つの画素Ｂ，Ｃ，Ｄからなる４画素に対して発生されるレーザ駆動パルスが連続するようになる。
【００６３】
なお、黒画素とそれより右側に４画素以上のｎ画素の間隔をおいて存在する白画素との間に、ｎ個の中間調の画素が連続しており、これらの中間調のｎ個の画素の濃度が上記黒画素に近いほど大きい画素列が検索された場合も、同様な処理を行う。
【００６４】
なお、黒画素とそれより右側に２画素以上の間隔をおいて存在する黒画素との間に、中間調の画素（データが１以上でかつ２５４以下の画素）が連続して並んでいる画素列を検索して、次のような処理を行うようにしてもよい。
【００６５】
例えば、図９（ａ）に示すように、黒画素Ａとそれより右側に２画素の間隔をおいて存在する黒画素Ｄとの間に、２つの中間調の画素Ｂ，Ｃが連続している画素列が検索された場合の処理について説明する。
【００６６】
（１）画素のＢのデータｂが画素Ｃのデータｃより大きい場合（ｂ＞ｃの場合）ｂ＞ｃの場合には、中間調の画素Ｂ，Ｃのデータｂ，ｃを次式（５）のように変更する。
【００６７】
2004114570.tif 000006
【００６８】
（２）画素のＢのデータｂが画素Ｃのデータｃより小さい場合（ｂ＜ｃの場合）ｂ＜ｃの場合には、中間調の画素Ｂ，Ｃのデータｂ，ｃを次式（６）のように変更する。
【００６９】
2004114570.tif 000007
【００７０】
次に、図９（ｂ）に示すように、黒画素Ａとそれより右側に３画素の間隔をおいて存在する黒画素Ｅとの間に、３つの中間調の画素Ｂ，Ｃ，Ｄが連続している画素列が検索された場合の処理について説明する。
【００７１】
（１）ｂ＞ｃ＞ｄの場合
ｂ＞ｃ＞ｄの場合には、中間調の画素Ｂ，Ｃ，Ｄのデータｂ，ｃ，ｄを次式（７）のように変更する。
【００７２】
2004114570.tif 000008
【００７３】
（２）ｂ＜ｃ＜ｄの場合
ｂ＜ｃ＜ｄの場合には、中間調の画素Ｂ，Ｃ，Ｄのデータｂ，ｃ，ｄを次式（８）のように変更する。
【００７４】
2004114570.tif 000009
【００７５】
（３）ｂ＞ｃ＜ｄの場合
ｂ＞ｃ＜ｄの場合には、中間調の画素Ｂ，Ｃのデータｂ，ｃを次のように変更する。
【００７６】
▲１▼　ｂ＋ｃ＜２５５でかつｃ＋ｄ＜２５５である場合には、ｂ＝ｂ＋ｃ／２，ｃ＝０，ｄ＝ｄ＋ｃ／２とする。
▲２▼　ｂ＋ｃ≧２５５であれば、ｂ＝２５５，ｃ’＝ｂ＋ｃ−２５５とする。そして、ｃ’＋ｄ≧２５５であるかｃ’＋ｄ＜２５５であるかを判別する。ｃ’＋ｄ≧２５５であれば、ｄ＝２５５，ｃ＝ｄ＋ｃ’−２５５とする。ｃ’＋ｄ＜２５５であれば、ｄ＝ｃ’＋ｄ，ｃ＝０とする。
▲３▼　ｂ＋ｃ＜２５５でかつｃ＋ｄ≧２５５であれば、ｄ＝２５５，ｃ’＝ｃ＋ｄ−２５５とする。そして、ｂ＝ｂ＋ｃ’，ｃ＝０とする。
【００７７】
【発明の効果】
この発明によれば、２値化データを多値化した後に変倍処理を行なった場合に、画像ムラの発生を防止できるようになる。
【図面の簡単な説明】
【図１】２値化データまたは疑似中間調処理された２値化データを多値化した後に変倍処理を行なった場合に生じる問題を説明するための模式図である。
【図２】１つの黒画素に対するレーザ駆動パルスと、連続する中間調の２画素に対するレーザ駆動パルスとを示す模式図である。
【図３】デジタル複写機の構成を示すブロック図である。
【図４】ＨＤＤ３０に格納されたデータに対して、画像の等倍度を維持するための変倍処理を行なう場合の処理手順を示すフローチャートである。
【図５】パルス発生位置モードの種類を示す模式図である。
【図６】パルス発生位置モードの決定処理手順を示すフローチャートである。
【図７】パルス発生位置モードの決定処理によって、連続する中間調の２画素に対するレーザ駆動パルスが連続するようになることを示す模式図である。
【図８】中間調データ調整処理を説明するための模式図である。
【図９】中間調データ調整処理を説明するための模式図である。
【符号の説明】
１０　スキャナ部
２０　制御部
３０　ハードディスク
４０　画像形成部
５０　ユーザ操作部
【図１】
2004114570.tif 000010
【図２】
2004114570.tif 000011
【図３】
2004114570.tif 000012
【図４】
2004114570.tif 000013
【図５】
2004114570.tif 000014
【図６】
2004114570.tif 000015
【図７】
2004114570.tif 000016
【図８】
2004114570.tif 000017
【図９】
2004114570.tif 000018